(57)【要約】      （修正有）【課題】タイプＢの保護されているパッシブ光ネットワークのアクセス制御のテークオーバを準備する方法を提供する。【解決手段】新たな光加入者線終端装置の接続、又は接続されている光加入者線終端装置の除去、又は以前に交換されたレンジング情報と比較したレンジング情報の何らかの変化後に、現在の現用系光加入者線端局装置から予備系光加入者線端局装置に向けて、現在の現用系光加入者線端局装置に対する全ての光加入者線終端装置の更新されたレンジング情報を含むシグナリングメッセージを送信するステップと、現在の現用系光加入者線端局装置に対する全ての光加入者線終端装置の更新されたレンジング情報、及び予備系光加入者線端局装置に対する所定の光加入者線終端装置のレンジング情報から、予備系光加入者線端局装置に対する全ての光加入者線終端装置の更新されたレンジング情報を求めるステップ（１５８）と、から成る更なる複数のステップを含む。【選択図】図４
2010263620.tif 000002
【特許請求の範囲】
【請求項１】
予備系光加入者線端局装置による、タイプＢの保護されているパッシブ光ネットワーク（２）のアクセス制御のテイクオーバを準備するための方法であって、
前記タイプＢのパッシブ光ネットワーク（２）は、
予めそれぞれ現在の現用系光加入者線端局装置（ＯＬＴ０）及び予備系光加入者線端局装置（ＯＬＴ１）として設定される第１の光加入者線端局装置（４）及び第２の光加入者線端局装置（６）と、
上位において第１の光ファイバを通じて前記現用系光加入者線端局装置（ＯＬＴ０）に接続されると共に、第２の光ファイバを通じて前記予備系光加入者線端局装置（ＯＬＴ１）に接続されるスプリッタ（１４）と、
上位において専用光ファイバを通じて前記スプリッタ（１４）に接続される１組の光加入者線終端装置（８、１０、１２）とを備え、
前記タイプＢの保護されているパッシブ光ネットワーク（２）は、
任意の光加入者線端局装置（４、６）から任意の光加入者線終端装置（８、１０、１２）へのダウンリンクにおいて同一の第１の波長（λ１）を共有し、
任意の光加入者線終端装置（８、１０、１２）から任意の光加入者線端局装置（４、６）へのアップリンクにおいて同一の第２の波長（λ２）を共有し、
前記第１の波長（λ１）と前記第２の波長（λ２）とは異なり、
該方法は、
前記現在の現用系光加入者線端局装置（ＯＬＴ０）が、前記光加入者線終端装置（８、１０、１２）のそれぞれをレンジングすると共に、前記現在の現用系光加入者線端局装置（ＯＬＴ０）に対する、前記光加入者線終端装置（８、１０、１２）毎に得られたレンジング情報を記憶するステップと、
前記現在の現用系光加入者線端局装置（ＯＬＴ０）が、前記光加入者線終端装置（８、１０、１２）によって使用されるＴＤＭＡアップリンクアクセスのための送信資源を割り当てる共に、該割り当てられた送信資源、及び前記現在の現用系光加入者線端局装置（ＯＬＴ０）に対する前記光加入者線終端装置（８、１０、１２）毎の前記レンジング情報に従って、前記光加入者線終端装置（８、１０、１２）によって使用されるスロットに関して前記ＴＤＭＡアップリンクにおける送信時間を規定するステップと、
から成る複数のステップを含み、
該方法は、
前記現在の現用系光加入者線端局装置（ＯＬＴ０）から前記予備系光加入者線端局装置（ＯＬＴ１）に向けて、ギャップ遅延及びギャップ持続時間によってレンジングギャップを画定するレンジング有効化メッセージを送信するステップであって、前記ギャップ遅延は、前記レンジング有効化メッセージの受信時に、前記予備系光加入者線端局装置（ＯＬＴ１）が、１つの選択された光加入者線終端装置（ＯＮＵ１）をレンジングするのを待つ時間である、送信するステップと、
前記現在の現用系光加入者線端局装置（ＯＬＴ０）から前記予備系光加入者線端局装置（ＯＬＴ１）に向けて、前記現在の現用系光加入者線端局装置（ＯＬＴ０）に対する前記光加入者線終端装置（８、１０、１２）毎の前記レンジング情報を含むシグナリングメッセージを送信するステップと、
前記予備系光加入者線端局装置（ＯＬＴ１）が、前記現在の現用系光加入者線端局装置（ＯＬＴ０）から送信された前記シグナリングメッセージをリスンするステップと、
前記現在の現用系光加入者線端局装置（ＯＬＴ０）及び残りの光加入者線終端装置（ＯＮＵ０、ＯＮＵ２）がサイレント状態に保たれている間に、前記予備系光加入者線端局装置（ＯＬＴ１）が、前記選択された光加入者線終端装置（ＯＮＵ１）を、前記レンジングギャップの間にレンジングするステップと、
前記現在の現用系光加入者線端局装置（ＯＬＴ０）に対する前記光加入者線終端装置（８、１０、１２）毎の前記レンジング情報、及び前記予備系光加入者線端局装置（ＯＬＴ１）に対する前記所定の光加入者線終端装置（ＯＮＵ１）の１つのレンジング情報から、前記予備系光加入者線端局装置（ＯＬＴ１）に対する前記光加入者線終端装置（８、１０、１２）毎の前記レンジング情報を求めるステップ（１５８）と、
から成る複数のステップを含むことを特徴とする、タイプＢの保護されているパッシブ光ネットワーク（２）のアクセス制御のテイクオーバを準備するための方法。
【請求項２】
前記タイプＢのパッシブ光ネットワーク（２）は、
前記現在の現用系光加入者線端局装置（ＯＬＴ０）と前記予備系光加入者線端局装置（ＯＬＴ１）との間に確立される通信データリンク（８０）を備え、
前記現在の現用系光加入者線端局装置（ＯＬＴ０）は、前記通信データリンク（８０）を通じて、該現在の現用系光加入者線端局装置（ＯＬＴ０）に対する前記光加入者線終端装置（８、１０、１２）毎の前記レンジング情報を含むシグナリングメッセージ又は前記レンジング有効化メッセージを送信することを特徴とする、請求項１に記載の方法。
【請求項３】
新たな光加入者線終端装置の接続、又は接続されている光加入者線終端装置の除去、又は以前に交換された前記レンジング情報と比較した該レンジング情報の何らかの変化の後に、前記現在の現用系光加入者線端局装置（ＯＬＴ０）から前記予備系光加入者線端局装置（ＯＬＴ１）に向けて、前記現在の現用系光加入者線端局装置（ＯＬＴ０）に対する全ての前記光加入者線終端装置（８、１０、１２）の更新されたレンジング情報を含むシグナリングメッセージを送信するステップと、
前記現在の現用系光加入者線端局装置（ＯＬＴ０）に対する全ての前記光加入者線終端装置の前記更新されたレンジング情報、及び前記予備系光加入者線端局装置（ＯＬＴ１）に対する前記所定の光加入者線終端装置（ＯＮＵ１）の前記レンジング情報から、前記予備系光加入者線端局装置（ＯＬＴ１）に対する全ての前記光加入者線終端装置の更新されたレンジング情報を求めるステップと、
から成るさらなる複数のステップを含むことを特徴とする、請求項１又は２に記載の方法。
【請求項４】
前記更新されたレンジング情報内に含まれる前記情報の変化のみが、前記予備系光加入者線端局装置（ＯＬＴ１）に向けて送信されることを特徴とする、請求項１〜３のいずれか一項に記載の方法。
【請求項５】
前記現在の現用系光加入者線端局装置（ＯＬＴ０）及び前記残りの光加入者線終端装置（ＯＮＵ０、ＯＮＵ２）は、前記レンジングギャップの間に衝突が一切発生しないように構成されるスリープウィンドウの間、サイレント状態に保たれることを特徴とする、請求項１〜４のいずれか一項に記載の方法。
【請求項６】
前記現在の現用系光加入者線端局装置（ＯＬＴ０）は、一連の所定の送信タイムインターバルに従って、前記予備系光加入者線端局装置（ＯＬＴ１）に向けてシグナリングメッセージを定期的に送信し（１５０、１７２、１７４、１７６）、２つの連続した送信タイムインターバルは、前記パッシブ光ネットワークの障害を検出するための応答時間を表す最大持続時間だけ離れていることを特徴とする、請求項１〜５のいずれか一項に記載の方法。
【請求項７】
前記予備系光加入者線端局装置（ＯＬＴ１）は、一連の所定のシグナリング受信タイムインターバルに従って、前記現在の光加入者線端局装置（ＯＬＴ０）から定期的に送信される前記シグナリングメッセージを受信し、前記シグナリング受信タイムインターバルの日付は、所定の時間スケジュールに従って決定されることを特徴とする、請求項６に記載の方法。
【請求項８】
シグナリング受信タイムインターバルの日付は、以前のシグナリング受信タイムインターバルにおいて受信された以前のシグナリングメッセージ内に示されることを特徴とする、請求項７に記載の方法。
【請求項９】
前記予備系光加入者線端局装置（ＯＬＴ１）は、２つの連続したシグナリング受信タイムインターバルの間スリープしていることを特徴とする、請求項７又は８に記載の方法。
【請求項１０】
前記現在の現用系光加入者線端局装置（ＯＬＴ０）と前記予備系光加入者線端局装置（ＯＬＴ１）との間に確立される前記通信データリンク（８０）は、前記パッシブ光ネットワーク（２）の前記光ファイバを使用する通信リンクであり、
マスタエコーイング光加入者線終端装置（ＯＮＵ０）が、前記現在の現用系光加入者線端局装置（ＯＬＴ０）と前記予備系光加入者線端局装置（ＯＬＴ１）との間の通信中継器としての役割を果たすことを特徴とする、請求項７に記載の方法。
【請求項１１】
タイプＢのパッシブ光ネットワーク（２）を保護するための方法であって、
該タイプＢのパッシブ光ネットワーク（２）は、
予めそれぞれ現在の現用系光加入者線端局装置（ＯＬＴ０）及び予備系光加入者線端局装置（ＯＬＴ１）として設定される第１の光加入者線端局装置（４）及び第２の光加入者線端局装置（６）と、
上位において第１の光ファイバを通じて前記現用系光加入者線端局装置（ＯＬＴ０）に接続されると共に、第２の光ファイバを通じて前記予備系光加入者線端局装置（ＯＬＴ１）に接続されるスプリッタ（１４）と、
上位において専用光ファイバを通じて前記スプリッタ（１４）に接続される１組の光加入者線終端装置（８、１０、１２）とを備え、
前記タイプＢの保護されているパッシブ光ネットワーク（２）は、
任意の光加入者線端局装置（４、６）から任意の光加入者線終端装置（８、１０、１２）へのダウンリンクにおいて同一の第１の波長（λ１）を共有し、
任意の光加入者線終端装置（８、１０、１２）から任意の光加入者線端局装置（４、６）へのアップリンクにおいて同一の第２の波長（λ２）を共有し、
前記第１の波長（λ１）と前記第２の波長（λ２）とは異なり、
該方法は、
前記パッシブ光ネットワーク（２）をセットアップする（１０２）ステップと、
請求項１〜１０において定義されるようにアクセス制御のテイクオーバを準備する（１０４）ステップと、
前記ネットワーク（２）の障害を検出するステップ（１０６）と、
障害が検出された場合に、新たな現用系光加入者線端局装置となる前記予備系光加入者線端局装置（ＯＬＴ１）が、前記ネットワークアクセス制御の前記テイクオーバをスイッチオーバするステップ（１０８）と、
から成る複数のステップを含む、タイプＢのパッシブ光ネットワーク（２）を保護するための方法。
【請求項１２】
前記セットアップするステップ（１０２）は、前記光加入者線端局装置のステータス及び設定を決定するステップ（１１２）を含み、該決定するステップ（１１２）において、
前記光加入者線端局装置（４、６）毎に、
ステップ（１１４）において、前記光加入者線端局装置を未決定ステータスに設定し、該光加入者線端局装置は受動状態でありリスンすることのみが可能であり、
次のステップ（１１５）において、前記光加入者線端局装置は、リスン期間中に、全ての光加入者線終端装置（８、１０、１２）から送信された全てのアップリンクトラフィックデータ及びシグナリングデータをリスンし、
判定ステップ（１１６）において、前記リスン期間中に前記光加入者線端局装置がトラフィックデータ又はシグナリングデータを検出する場合、ステップ（１１８）において、該光加入者線端局装置をスレーブ予備系光加入者線端局装置として設定し、
前記リスン期間中にトラフィックデータ又はシグナリングデータを一切検出しない場合、ステップ（１２０）において、該光加入者線端局装置は、リスン期間の直後に第１のＣＥＮＳＵＳメッセージを送信し、該第１のＣＥＮＳＵＳメッセージは、前記光加入者線終端装置が既に１つの光加入者線端局装置に対して登録されている場合であっても、全ての光加入者線終端装置がランダム化された送出時刻に従って該ＣＥＮＳＵＳメッセージに応答しなくてはならず、且つ該光加入者線終端装置のそれぞれの応答において、該ＣＥＮＳＵＳメッセージを送信した前記光加入者線端局装置のアドレスを示さなくてはならないことを要求し、
次の判定ステップ（１２２）において、所与の光加入者線端局装置が第１のタイムアウト期間内にメッセージを一切受信しない場合、ステップ（１１４）に飛ぶことによって前記ステップ（１１２）を継続し、
ステップ（１２６）において、前記光加入者線端局装置が前記第１のタイムアウト内に別の光加入者線端局装置に宛てられたトラフィックメッセージ又は第１のシグナリングメッセージを受信する場合、ステップ（１１８）において、該光加入者線端局装置をスレーブ予備系光加入者線端局装置として設定し、
前記ステップ（１２６）において、前記光加入者線端局装置がタイムアウト内に別の光加入者線端局装置に宛てられたトラフィックメッセージ又は第１のシグナリングメッセージを受信しない場合、ステップ（１２８）において、該光加入者線端局装置は第２のＣＥＮＳＵＳメッセージを送信し、
次に、判定ステップ（１３０）において、前記光加入者線端局装置が第２のタイムアウト期間内にメッセージを一切受信しない場合、ステップ（１１４）に飛ぶことによって前記ステップ（１１２）を継続し、
ステップ（１３２）において、前記光加入者線端局装置が前記第２のタイムアウト内に別の光加入者線端局装置に宛てられたトラフィックメッセージ又はシグナリングメッセージを受信する場合、ステップ（１１８）において、該光加入者線端局装置をスレーブ予備系光加入者線端局装置として設定し、
前記ステップ（１３２）において、前記光加入者線端局装置が前記第２のタイムアウト内に別の光加入者線端局装置に宛てられたトラフィックメッセージ又はシグナリングメッセージを受信しない場合、ステップ（１３４）において、該光加入者線端局装置を現在の現用系光加入者線端局装置として設定することを特徴とする、請求項１１に記載の方法。
【請求項１３】
前記検出ステップ（１１６）において、前記予備系光加入者線端局装置（ＯＬＴ１）が前記現在の現用系光加入者線端局装置から定期的に送信されるシグナリングメッセージを受信せず、アップリンクデータトラフィックを一切受信しない場合、前記アップリンクにおいて、前記予備系光加入者線端局装置（ＯＬＴ１）が障害を検出することを特徴とする、請求項１１又は１２に記載の方法。
【請求項１４】
保護されているタイプＢのパッシブ光ネットワーク（ＰＯＮ）であって、
初期状態において現在の現用系光加入者線端局装置（ＯＬＴ０）として設定される第１の光加入者線端局装置（４）と、
初期状態において予備系光加入者線端局装置（ＯＬＴ１）として設定される第２の光加入者線端局装置（６）と、
前記現在の現用系光加入者線端局装置（ＯＬＴ０）と前記予備系光加入者線端局装置（ＯＬＴ１）との間に確立される通信リンク（８０）と、
上位において第１の光ファイバを通じて前記第１の光加入者線端局装置（４）に接続されると共に、第２の光ファイバを通じて前記第２の光加入者線端局装置（６）に接続されるスプリッタ（１４）と、
上位において専用光ファイバを通じて前記スプリッタ（１４）に接続される１組の光加入者線終端装置（８、１０、１２）と、
を備え、
該タイプＢの保護されているパッシブ光ネットワーク（２）は、
任意の光加入者線端局装置（４、６）から任意の光加入者線終端装置（８、１０、１２）へのダウンリンクにおいて同一の第１の波長（λ１）を共有し、
任意の光加入者線終端装置から任意の光加入者線端局装置（４、６）へのアップリンクにおいて同一の第２の波長（λ２）を共有し、
前記第１の波長（λ１）と前記第２の波長（λ２）とは異なり、
前記現在の現用系光加入者線端局装置（ＯＬＴ０）は、前記光加入者線終端装置（８、１０、１２）のそれぞれをレンジングして該現在の現用系光加入者線端局装置（ＯＬＴ０）に対する前記光加入者線終端装置（８、１０、１２）毎のレンジング情報を取得して、前記光加入者線終端装置（８、１２）によって使用されるＴＤＭＡアップリンクアクセスのための送信資源を割り当てることが可能であると共に、該割り当てられた送信資源、及び前記現在の現用系光加入者線端局装置（ＯＬＴ０）に対する前記光加入者線終端装置（８、１０、１２）毎の前記レンジング情報に従って、前記光加入者線終端装置（８、１２）によって使用されるスロットに関して前記ＴＤＭＡアップリンクにおける送信時間を規定することが可能であり、
前記予備系光加入者線端局装置（ＯＬＴ１）は、全ての光加入者線終端装置（８、１０、１２）をレンジングして前記第２の光加入者線端局装置（４）に対する前記光加入者線終端装置（８、１０、１２）毎の前記レンジング情報を取得して、前記光加入者線終端装置によって使用されるＴＤＭＡアップリンクアクセスのための送信資源を割り当てることが可能であると共に、該割り当てられた送信資源、及び前記第２の光加入者線端局装置（４）に対する前記光加入者線終端装置（８、１０、１２）毎の前記レンジング情報に従って、前記光加入者線終端装置（１０）によって使用されるスロットに関して前記ＴＤＭＡアップリンクにおける送信時間を規定することが可能であり、
前記現在の現用系光加入者線端局装置（ＯＬＴ０）は、現在の現用系光加入者線端局装置の保護管理ユニット（６６）を備えることを特徴とし、該保護管理ユニットは、
ギャップ遅延及びギャップ持続時間によってレンジングギャップを画定するシグナリングレンジング有効化メッセージを送信することができ、前記ギャップ遅延は、前記シグナリングレンジング有効化メッセージの受信時に、前記予備系光加入者線端局装置が、１つの選択された光加入者線終端装置をレンジングするのを待つ時間であり、
前記現在の現用系光加入者線端局装置（ＯＬＴ０）に対する前記光加入者線終端装置（８、１０、１２）毎の前記レンジング情報を含むシグナリングメッセージを送信することができるものであり、
前記予備系光加入者線端局装置（ＯＬＴ１）は、予備系光加入者線端局装置の保護管理ユニット（６６）を備えることを特徴とし、該保護管理ユニットは、
前記現在の現用系光加入者線端局装置によって送信された前記シグナリングメッセージを前記データ通信リンク（８０）を通じてリスンすると共に、前記現在の現用系光加入者線端局装置（ＯＬＴ０）及び残りの光加入者線終端装置（ＯＮＵ０、ＯＮＵ２）がサイレント状態に保たれている間に、１つの選択された光加入者線終端装置（ＯＮＵ１）を、前記レンジングギャップの間にレンジングすることができ、
前記現在の現用系光加入者線端局装置（ＯＬＴ０）に対する全ての光加入者線終端装置（８、１０、１２）の前記レンジング情報、及び前記予備系光加入者線端局装置（ＯＬＴ１）に対する前記１つの選択された光加入者線終端装置（ＯＮＵ１）の前記レンジング情報から、前記予備系光加入者線端局装置（ＯＬＴ１）に対する前記光加入者線終端装置（８、１０、１２）毎の前記レンジング情報を求めることができる（１５８）ものである、
保護されているタイプＢのパッシブ光ネットワーク（ＰＯＮ）。
【請求項１５】
前記通信リンク（８０）は、前記現在の現用系光加入者線端局装置（ＯＬＴ０）と前記予備系光加入者線終端装置（ＯＬＴ１）との間の通信中継器としての役割を果たすマスタエコーイング光加入者線終端装置（ＯＮＵ０）を通じた、前記光加入者線端局装置（４）と前記光加入者線端局装置（６）との間の通信リンクであることを特徴とする、請求項１４に記載の保護されているタイプＢのパッシブ光ネットワーク（ＰＯＮ）。
【発明の詳細な説明】
【技術分野】
【０００１】
本発明は、タイプＢのパッシブ光ネットワーク（ＰＯＮ）によって高速光ネットワーキングインフラストラクチャに提供されるアクセスを確保するための方法、及びそのような方法を実施するためのシステムに関する。
【背景技術】
【０００２】
パッシブ光ネットワーク（ＰＯＮ）は、光ネットワークのアクセス部の２つのアーキテクチャのうちの１つとして既知である。
【０００３】
ポイント・ツー・マルチポイント・アーキテクチャとも呼ばれるパッシブ光ネットワーク（ＰＯＮ）アーキテクチャによれば、従来の保護されていないパッシブ光ネットワーク（ＰＯＮ）は、高速光ネットワーキングインフラストラクチャに属する現用系スイッチに接続される現用系光加入者線端局装置（working Optical Line Termination）（ＯＬＴ）と、少なくとも１つの現用系光スプリッタとを備える。現用系光スプリッタは上位において、１つの現用系光加入者線端局装置（ＯＬＴ）に１つの現用系専用ファイバを通じて接続される。
【０００４】
パッシブ光ネットワークは、現用系光加入者線終端装置（ＯＮＵ）とも呼ばれる幾つかの現用系ユーザ端末から成る少なくとも１つのグループも備える。現用系光加入者終端装置は、現用系光加入者線端局装置（ＯＬＴ）からスプリッタまで同じファイバを共有することによって現用系光加入者線端局装置（ＯＬＴ）に接続される。
【０００５】
ＩＴＵ−Ｔ勧告Ｇ９８４．３において規定されるタイプＣの予備系アーキテクチャにおいて、パッシブ光ネットワークは、初期状態において保護されていないパッシブ光ネットワークの全ての現用系構成要素に対して、予備系構成要素と呼ばれる冗長な構成要素を設けることによって保護される。
【０００６】
タイプＣの予備系アーキテクチャにおいて、現用系光加入者線端局装置（ＯＬＴ）、現用系光加入者線端局装置（ＯＬＴ）から現用系スプリッタへの現用系ファイバ、現用系スプリッタ、現用系スプリッタから現用系光加入者線終端装置（ＯＮＵ）への現用系ファイバは、冗長な光加入者線端局装置（redundant Optical Line Termination）（ＯＬＴ）、予備系光加入者線端局装置（protection Optical Lien Termination）（ＯＬＴ）から予備系スプリッタへの冗長な予備系ファイバ、冗長な予備系スプリッタ、予備系スプリッタから予備系光加入者線終端装置（ＯＮＵ）への冗長な予備系ファイバによってそれぞれ保護される。
【０００７】
タイプＣのアーキテクチャの複雑度及びコストを低減するために、統計的にまさに最も可能性が高い障害は現用系光加入者線端局装置（ＯＬＴ）と現用系スプリッタとの間に延在する最も長いファイバを掘削機によって切断することであるという前提のもとに、ＩＴＵ−Ｔ勧告Ｇ９８４．３において、タイプＢのアーキテクチャと呼ばれる代替的なアーキテクチャが提案されている。
【０００８】
タイプＢのアーキテクチャにおいては、現用系スプリッタと現用系光加入者線端局装置との間の現用系ファイバ、及び現用系光加入者線端局装置から成る現用系リンクのみが、冗長な予備系光加入者線端局装置（ＯＬＴ）、及び現用系スプリッタと予備系光加入者線端局装置（ＯＬＴ）との間の冗長な予備系ファイバから成る冗長なリンクを提供することによって保護される。
【０００９】
各光加入者線端局装置においては、ただ１本の異なるそれぞれのファイバが、（現用系スプリッタから現用系光加入者線端局装置又は予備系光加入者線端局装置への）アップリンク、及び、（現用系光加入者線端局装置又は予備系光加入者線端局装置から現用系スプリッタへの）ダウンリンクの双方において光加入者線終端装置によって共有され、アップリンクデータ及びダウンリンクデータは、レーザの２つの別個の波長λ１、λ２を使用して同時に送信される。そのようなダウンリンク／アップリンクアクセス方式は、波長二重アクセスと称される。
【００１０】
アップリンク方向において、タイムスロットが各光加入者線終端装置に繰り返し割り当てられ、当該タイムスロットにおいてデータの送信が有効にされる。
【００１１】
タイムスロットは、衝突する可能性のある同時送信を回避するようにフレーム内に構成される。光加入者線終端装置から光加入者線端局装置へのそのようなアップリンクアクセス方式は、時分割多重アクセス（ＴＤＭＡ）と呼ばれる。
【００１２】
タイプＢのアークテクチャにおいては、固有の光波長、ここではλ１を、スプリッタと現用系光加入者線端局装置との間の現用系ファイバ、及び、スプリッタと予備系光加入者線端局装置との間の予備系ファイバの双方におけるアップリンクで使用する。
【００１３】
タイプＢのアークテクチャにおいては、固有の光波長、ここではλ２を、スプリッタと現用系光加入者線端局装置との間の現用系ファイバ、及び、スプリッタと予備系光加入者線端局装置との間の予備系ファイバの双方に関してダウンリンクで使用する。
【００１４】
タイプＢのアークテクチャにおいては、現用系光加入者線端局装置及び予備系光加入者線端局装置の双方が同じスプリッタに接続され、ダウンリンクにおいて同一波長λ２を使用する。そのため、データを同時に受信することはできるが、データを同時に送出することはできない。
【００１５】
スプリッタと現在の現用系光加入者線端局装置（ＯＬＴ）との間の現用系ファイバの障害が発生した場合、予備系光加入者線端局装置（ＯＬＴ）は、新たな現用系光加入者線端局装置として、パッシブ光ネットワーク（ＰＯＮ）アクセスの制御を非常に迅速に５０ｍｓ未満でテイクオーバしなければならない。
【先行技術文献】
【特許文献】
【００１６】
【特許文献１】米国特許出願公開第２００２／０７１１４９号明細書
【発明の概要】
【発明が解決しようとする課題】
【００１７】
技術的な問題は、予備系光加入者線端局装置（ＯＬＴ）が新たな現用系光加入者線端局装置となることによってパッシブ光ネットワーク（ＰＯＮ）アクセスの制御を迅速にテイクオーバすることを可能にする保護状態にありながら、予備系光加入者線端局装置（ＯＬＴ）ハードウェアのエネルギー節約の観点から効率的である保護及び準備の方法を見出すことである。
【課題を解決するための手段】
【００１８】
したがって、本発明は、予備系光加入者線端局装置による、タイプＢの保護されているパッシブ光ネットワークのアクセス制御のテイクオーバを準備するための方法であって、
タイプＢのパッシブ光ネットワークは、
予めそれぞれ現在の現用系光加入者線端局装置及び予備系光加入者線端局装置として設定される第１の光加入者線端局装置及び第２の光加入者線端局装置と、
上位において第１の光ファイバを通じて現用系光加入者線端局装置に接続されると共に、第２の光ファイバを通じて予備系光加入者線端局装置に接続されるスプリッタと、
上位において専用光ファイバを通じてスプリッタに接続される１組の光加入者線終端装置とを備え、
タイプＢの保護されているパッシブ光ネットワークは、
任意の光加入者線端局装置から任意の光加入者線終端装置へのダウンリンクにおいて同一の第１の波長を共有し、
任意の光加入者線終端装置から任意の光加入者線端局装置へのアップリンクにおいて同一の第２の波長を共有し、
第１の波長と第２の波長とは異なり、
当該方法は、
現在の現用系光加入者線端局装置が、光加入者線終端装置のそれぞれをレンジングすると共に、現在の現用系光加入者線端局装置に対する、光加入者線終端装置毎に得られたレンジング情報を記憶するステップと、
現在の現用系光加入者線端局装置が、光加入者線終端装置によって使用されるＴＤＭＡアップリンクアクセスのための送信資源を割り当てる共に、割り当てられた送信資源、及び現在の現用系光加入者線端局装置に対する光加入者線終端装置毎のレンジング情報に従って、光加入者線終端装置によって使用されるスロットに関してＴＤＭＡアップリンクにおける送信時間を規定するステップと、
から成る複数のステップを含み、
当該方法は、
現在の現用系光加入者線端局装置から予備系光加入者線端局装置に向けて、ギャップ遅延及びギャップ持続時間によってレンジングギャップを画定するレンジング有効化メッセージを送信するステップであって、ギャップ遅延は、レンジング有効化メッセージの受信時に、予備系光加入者線端局装置が、１つの選択された光加入者線終端装置をレンジングするのを待つ時間である、送信するステップと、
現在の現用系光加入者線端局装置から予備系光加入者線端局装置に向けて、現在の現用系光加入者線端局装置に対する光加入者線終端装置毎のレンジング情報を含むシグナリングメッセージを送信するステップと、
予備系光加入者線端局装置が、現在の現用系光加入者線端局装置から送信されたシグナリングメッセージをリスンするステップと、
現在の現用系光加入者線端局装置及び残りの光加入者線終端装置がサイレント状態に保たれている間に、予備系光加入者線端局装置が、選択された光加入者線終端装置を、レンジングギャップの間にレンジングするステップと、
現在の現用系光加入者線端局装置に対する光加入者線終端装置毎のレンジング情報、及び予備系光加入者線端局装置に対する所定の光加入者線終端装置の１つのレンジング情報から、予備系光加入者線端局装置に対する光加入者線終端装置毎のレンジング情報を求めるステップと、
から成る複数のステップを含むことを特徴とする、タイプＢの保護されているパッシブ光ネットワーク（２）のアクセス制御のテイクオーバを準備するための方法に関する。
【００１９】
特定の実施の形態によれば、テイクオーバを準備するための方法は、以下の特徴のうちの１つ又は複数を含む：
−  タイプＢのパッシブ光ネットワークは、
現在の現用系光加入者線端局装置と予備系光加入者線端局装置との間に確立される通信データリンクを備え、
現在の現用系光加入者線端局装置は、当該通信データリンクを通じて、現在の現用系光加入者線端局装置に対する光加入者線終端装置毎のレンジング情報を含むシグナリングメッセージ又はレンジング有効化メッセージを送信する。
−  当該方法は、
新たな光加入者線終端装置の接続、又は接続されている光加入者線終端装置の除去、又は以前に交換されたレンジング情報と比較した当該レンジング情報の何らかの変化の後に、現在の現用系光加入者線端局装置から予備系光加入者線端局装置に向けて、現在の現用系光加入者線端局装置に対する全ての光加入者線終端装置の更新されたレンジング情報を含むシグナリングメッセージを送信するステップと、
現在の現用系光加入者線端局装置に対する全ての光加入者線終端装置の更新されたレンジング情報、及び予備系光加入者線端局装置に対する所定の光加入者線終端装置のレンジング情報から、予備系光加入者線端局装置に対する全ての光加入者線終端装置の更新されたレンジング情報を求めるステップと、
から成るさらなる複数のステップを含む。
−  更新されたレンジング情報内に含まれる情報の変化のみが、予備系光加入者線端局装置に向けて送信される。
−  現在の現用系光加入者線端局装置及び残りの光加入者線終端装置は、レンジングギャップの間に衝突が一切発生しないように構成されるスリープウィンドウの間、サイレント状態に保たれる。
−  現在の現用系光加入者線端局装置は、一連の所定の送信タイムインターバルに従って、予備系光加入者線端局装置に向けてシグナリングメッセージを定期的に送信し、２つの連続した送信タイムインターバルは、パッシブ光ネットワークの障害を検出するための応答時間を表す最大持続時間だけ離れている。
−  予備系光加入者線端局装置は、一連の所定のシグナリング受信タイムインターバルに従って、現在の光加入者線端局装置から定期的に送信されるシグナリングメッセージを受信し、シグナリング受信タイムインターバルの日付は、所定の時間スケジュールに従って決定される。
−  シグナリング受信タイムインターバルの日付は、以前のシグナリング受信タイムインターバルにおいて受信された以前のシグナリングメッセージ内に示される。
−  予備系光加入者線端局装置は、２つの連続したシグナリング受信タイムインターバルの間スリープしている。
−  現在の現用系光加入者線端局装置と予備系光加入者線端局装置との間に確立される通信データリンクは、パッシブ光ネットワークの光ファイバを使用する通信リンクであり、      マスタエコーイング光加入者線終端装置が、現在の現用系光加入者線端局装置と予備系光加入者線端局装置との間の通信中継器としての役割を果たす。
【００２０】
また、本発明は、タイプＢのパッシブ光ネットワークの保護方法であって、
タイプＢのパッシブ光ネットワークは、
予めそれぞれ現在の現用系光加入者線端局装置及び予備系光加入者線端局装置として設定される第１の光加入者線端局装置及び第２の光加入者線端局装置と、
上位において第１の光ファイバを通じて現用系光加入者線端局装置に接続されると共に、第２の光ファイバを通じて予備系光加入者線端局装置に接続されるスプリッタと、
上位において専用光ファイバを通じてスプリッタに接続される１組の光加入者線終端装置とを備え、
タイプＢの保護されているパッシブ光ネットワークは、
任意の光加入者線端局装置から任意の光加入者線終端装置へのダウンリンクにおいて同一の第１の波長を共有し、
任意の光加入者線終端装置から任意の光加入者線端局装置へのアップリンクにおいて同一の第２の波長を共有し、
第１の波長と第２の波長とは異なり、
当該方法は、
パッシブ光ネットワークをセットアップするステップと、
上記において定義されるようにアクセス制御のテイクオーバを準備するステップと、
ネットワークの障害を検出するステップと、
障害が検出された場合に、新たな現用系光加入者線端局装置となる予備系光加入者線端局装置が、ネットワークアクセス制御のテイクオーバをスイッチオーバするステップと、
から成る複数のステップを含む、保護方法にも関する。
【００２１】
特定の実施の形態によれば、保護方法は、以下の特徴のうちの１つ又は複数を含む：
−  セットアップするステップは、光加入者線端局装置のステータス及び設定を決定するステップを含み、当該決定するステップにおいて、
光加入者線端局装置毎に、
光加入者線端局装置を未決定ステータスに設定し、当該光加入者線端局装置は受動状態でありリスンすることのみが可能であり、
次のステップにおいて、光加入者線端局装置は、リスン期間中に、全ての光加入者線終端装置から送信された全てのアップリンクトラフィックデータ及びシグナリングデータをリスンし、
判定ステップにおいて、リスン期間中に光加入者線端局装置がトラフィックデータ又はシグナリングデータを検出する場合、ステップにおいて、当該光加入者線端局装置をスレーブ予備系光加入者線端局装置として設定し、
リスン期間中にトラフィックデータ又はシグナリングデータを一切検出しない場合、当該光加入者線端局装置は、リスン期間の直後に第１のＣＥＮＳＵＳメッセージを送信し、当該第１のＣＥＮＳＵＳメッセージは、光加入者線終端装置が既に１つの光加入者線端局装置に対して登録されている場合であっても、全ての光加入者線終端装置がランダム化された送出時刻に従ってＣＥＮＳＵＳメッセージに応答しなくてはならず、且つ光加入者線終端装置のそれぞれの応答において、ＣＥＮＳＵＳメッセージを送信した光加入者線端局装置のアドレスを示さなくてはならないことを要求し、
次の判定ステップにおいて、所与の光加入者線端局装置が第１のタイムアウト期間内にメッセージを一切受信しない場合、光加入者線端局装置を未決定ステータスに設定するステップに飛ぶことによって、ステータスを決定するためのステップを継続し、
光加入者線端局装置が第１のタイムアウト内に別の光加入者線端局装置に宛てられたトラフィックメッセージ又は第１のシグナリングメッセージを受信する場合、当該光加入者線端局装置をスレーブ予備系光加入者線端局装置として設定し、
光加入者線端局装置がタイムアウト内に別の光加入者線端局装置に宛てられたトラフィックメッセージ又は第１のシグナリングメッセージを受信しない場合、当該光加入者線端局装置は第２のＣＥＮＳＵＳメッセージを送信し、
次に、判定ステップにおいて、光加入者線端局装置が第２のタイムアウト期間内にメッセージを一切受信しない場合、光加入者線端局装置を未決定ステータスに設定するステップに飛ぶことによって、ステータスを決定するためのステップを継続し、
光加入者線端局装置が第２のタイムアウト内に別の光加入者線端局装置に宛てられたトラフィックメッセージ又はシグナリングメッセージを受信する場合、当該光加入者線端局装置をスレーブ予備系光加入者線端局装置として設定し、
光加入者線端局装置が第２のタイムアウト内に別の光加入者線端局装置に宛てられたトラフィックメッセージ又はシグナリングメッセージを受信しなかった場合、当該光加入者線端局装置を現在の現用系光加入者線端局装置として設定する。
−  検出ステップにおいて、予備系光加入者線端局装置が現在の現用系光加入者線端局装置から定期的に送信されるシグナリングメッセージを受信せず、アップリンクデータトラフィックを一切受信しない場合、アップリンクにおいて、予備系光加入者線端局装置が障害を検出する。
【００２２】
また、本発明は、保護されているタイプＢのパッシブ光ネットワークであって、
初期状態において現在の現用系光加入者線端局装置として設定される第１の光加入者線端局装置と、
初期状態において予備系光加入者線端局装置として設定される第２の光加入者線端局装置と、
現在の現用系光加入者線端局装置と予備系光加入者線端局装置との間に確立される非同期通信リンクと、
上位において第１の光ファイバを通じて第１の光加入者線端局装置に接続されると共に、第２の光ファイバを通じて第２の光加入者線端局装置に接続されるスプリッタと、
上位において専用光ファイバを通じてスプリッタに接続される１組の光加入者線終端装置と、
を備え、
タイプＢの保護されているパッシブ光ネットワークは、
任意の光加入者線端局装置から任意の光加入者線終端装置へのダウンリンクにおいて同一の第１の波長を共有し、
任意の光加入者線終端装置から任意の光加入者線端局装置へのアップリンクにおいて同一の第２の波長を共有し、
第１の波長と第２の波長とは異なり、
現在の現用系光加入者線端局装置は、光加入者線終端装置のそれぞれをレンジングして現在の現用系光加入者線端局装置に対する光加入者線終端装置毎のレンジング情報を取得して、光加入者線終端装置によって使用されるＴＤＭＡアップリンクアクセスのための送信資源を割り当てることが可能であると共に、割り当てられた送信資源、及び現在の現用系光加入者線端局装置に対する光加入者線終端装置毎のレンジング情報に従って、光加入者線終端装置によって使用されるスロットに関してＴＤＭＡアップリンクにおける送信時間を規定することが可能であり、
予備系光加入者線端局装置は、全ての光加入者線終端装置をレンジングして第２の光加入者線端局装置に対する光加入者線終端装置毎のレンジング情報を取得して、光加入者線終端装置によって使用されるＴＤＭＡアップリンクアクセスのための送信資源を割り当てることが可能であると共に、割り当てられた送信資源、及び第２の光加入者線端局装置に対する光加入者線終端装置毎のレンジング情報に従って、光加入者線終端装置によって使用されるスロットに関してＴＤＭＡアップリンクにおける送信時間を規定することが可能であり、
現在の現用系光加入者線端局装置は、現在の現用系光加入者線端局装置の保護管理ユニットを備えることを特徴とし、当該保護管理ユニットは、
ギャップ遅延及びギャップ持続時間によってレンジングギャップを画定するシグナリングレンジング有効化メッセージを送信することができ、ギャップ遅延は、シグナリングレンジング有効化メッセージの受信時に、予備系光加入者線端局装置が、１つの選択された光加入者線終端装置をレンジングするのを待つ時間であり、
現在の現用系光加入者線端局装置に対する光加入者線終端装置毎のレンジング情報を含むシグナリングメッセージを送信することができるものであり、
予備系光加入者線端局装置は、予備系光加入者線端局装置の保護管理ユニットを備えることを特徴とし、当該保護管理ユニットは、
現在の現用系光加入者線端局装置によって送信されたシグナリングメッセージをデータ通信リンクを通じてリスンすると共に、現在の現用系光加入者線端局装置及び残りの光加入者線終端装置がサイレント状態に保たれている間に、１つの選択された光加入者線終端装置を、レンジングギャップの間にレンジングすることができ、
現在の現用系光加入者線端局装置に対する全ての光加入者線終端装置のレンジング情報、及び予備系光加入者線端局装置に対する１つの選択された光加入者線終端装置のレンジング情報から、予備系光加入者線端局装置に対する光加入者線終端装置毎のレンジング情報を求めることができるものである、
保護されているタイプＢのパッシブ光ネットワークにも関する。
【００２３】
特定の実施の形態によれば、パッシブ光ネットワークは、以下の特徴のうちの１つ又は複数を含む：
−  通信リンクは、現在の現用系光加入者線端局装置と予備系光加入者線終端装置との間の通信中継器としての役割を果たすマスタエコーイング光加入者線終端装置を通じた、光加入者線端局装置と光加入者線端局装置との間の通信リンクである。
【００２４】
以下の説明を読むことによって、本発明をより良く理解することが容易になる。以下の説明は図面を参照して例示としてのみ与えられる。
【図面の簡単な説明】
【００２５】
【図１】本発明による単純化されたタイプＢのパッシブ光ネットワークのアーキテクチャの図である。パッシブ光ネットワークを保護するための方法、特に、ＰＯＮのアクセス制御のテイクオーバを準備する準備ステップが実施される。
【図２】図１のタイプＢのパッシブ光ネットワークを保護するための保護方法のフローチャートである。
【図３】図２の保護方法のステップとしてのネットワークのセットアップステップの詳細なフローチャートである。
【図４】図１のアーキテクチャにおいて実施されるアクセス制御のテイクオーバを準備するための図２の保護方法のステップとしての準備ステップの詳細なフローチャートである。
【図５】図２に示される保護方法のステップを含む、パッシブ光ネットワークの通常動作中における、現在の現用系光加入者線端局装置（ＯＬＴ）と、予備系光加入者線端局装置（ＯＬＴ）と、エコーイングマスタ光加入者線終端装置（Ｅ−ＯＮＵ）と、残りの光加入者線終端装置との間のシグナリング交換を表す例示の時空間チャートである。
【発明を実施するための形態】
【００２６】
図１によれば、タイプＢのパッシブ光ネットワークとも称される、保護されているタイプＢのパッシブ光ネットワーク２は、第１の光加入者線端局装置４と、第２の光加入者線端局装置６と、同一のスプリッタ１４を通じて光加入者線端局装置４、６に接続される幾つかの光加入者線終端装置８、１０、１２とを備える。
【００２７】
共に接続される光加入者線端局装置４、６及び光加入者線終端装置８、１０、１２の数は、単純化するために、それぞれ２及び３に等しい。
【００２８】
図１の例において、ＯＬＴ０と称される第１の光加入者線端局装置４は、初期状態において現用系光加入者線端局装置として設定されるという条件を満たすと仮定され、図示されない光ファイバによって共有スプリッタ１４に接続されると共に、図示されないそれぞれの異なる光ファイバを通じて共有スプリッタ１４に接続される光加入者線終端装置８、１０、１２（それぞれＯＮＵ０、ＯＮＵ１、及びＯＮＵ２とも表される）に接続される。
【００２９】
ＯＬＴ１と称される第２の光加入者線端局装置６は、初期状態において予備系光加入者線端局装置として設定されるという条件を満たすと仮定され、図示されない光ファイバによって共有スプリッタ１４に接続されると共に、図示されないそれぞれの異なる光ファイバを通じて共有スプリッタ１４に接続される光加入者線終端装置８、１０、１２（それぞれＯＮＵ０、ＯＮＵ１、及びＯＮＵ２とも表される）に接続される。
【００３０】
各光加入者線終端装置８、１０、１２は、実線で示すダウンリンクにおいて同一の第１の波長λ１を共有する。ダウンリンクは、ＯＮＵ０に対する直列の２つの基本ダウンリンク２２、２４（ＯＬＴ０からスプリッタ１４、及びスプリッタ１４からＯＮＵ０）と、ＯＮＵ１に対する直列の２つのダウンリンク２２、２６（ＯＬＴ０からスプリッタ１４、及びスプリッタ１４からＯＮＵ１）と、ＯＮＵ２に対する直列の２つのダウンリンク２２、２８（ＯＬＴ０からスプリッタ１４、及びスプリッタ１４からＯＮＵ２）とを含む。
【００３１】
各光加入者線終端装置８、１０、１２は、実線で示すダウンリンクにおいて同一の第１の波長λ１を共有する。ダウンリンクは、ＯＮＵ０に対する直列の２つの基本ダウンリンク３２、２４（ＯＬＴ１からスプリッタ１４、及びスプリッタ１４からＯＮＵ０）と、ＯＮＵ１に対する直列の２つのダウンリンク３２、２６（ＯＬＴ１からスプリッタ１４、及びスプリッタ１４からＯＮＵ１）と、ＯＮＵ２に対する直列の２つのダウンリンク３２、２８（ＯＬＴ０からスプリッタ１４、及びスプリッタ１４からＯＮＵ２）とを含む。
【００３２】
各光加入者線終端装置８、１０、１２は、アップリンクにおいて同一のアップリンク波長λ２を共有する。アップリンクは、ＯＮＵ０からスプリッタ１４を通じてＯＬＴ０への直列の２つのアップリンク４２、４４と、ＯＮＵ１からスプリッタ１４を通じてＯＬＴ０への直列の２つのアップリンク４６、４４と、ＯＮＵ２からスプリッタ１４を通じてＯＬＴ０への直列の２つのアップリンク４８、４４と、ＯＮＵ０からスプリッタ１４を通じてＯＬＴ１への直列の２つのアップリンク４２、５０と、ＯＮＵ１からスプリッタ１４を通じてＯＬＴ１への直列の２つのアップリンク４６、５０と、ＯＮＵ２からスプリッタ１４を通じてＯＬＴ１への直列の２つのアップリンク４８、５０とを含む。
【００３３】
アップリンク波長λ２は、ダウンリンクにおいて使用される第１のλ１とは異なる。
【００３４】
図１のパッシブ光ネットワークアーキテクチャにおいて、現在の現用系として設定される光加入者線端局装置、ここではＯＬＴ０に関して、ただ１本のファイバが、光加入者線端局装置アップリンク（スプリッタ１４から光加入者線端局装置ＯＬＴ０）及び光加入者線端局装置ダウンリンク（光加入者線端局装置ＯＬＴ０からスプリッタ１４）の双方に関して光加入者線終端装置８、１０、１２によって共有されている。アップリンクデータ及びダウンリンクデータは、２つの別個のレーザ波長であるλ１及びλ２を使用することによって、衝突することなく、さらには同時に送信される。
【００３５】
そのようなダウンリンク／アップリンクアクセス方式は、波長二重アクセスと称される。
【００３６】
波長λ２はアップリンクに関して同一であるため、全ての光加入者線端局装置４、６は、全ての光加入者線終端装置８、１０、１２からの全ての送信パケットをリスン（listen）することができる。
【００３７】
したがって、ＯＬＴ０及びＯＬＴ１のうちの任意の光加入者線端局装置は、全ての光加入者線終端装置８、１０、１２をリスンすることができる。
【００３８】
逆に、ただ１つの共通波長λ１が、ダウンリンクにおいて２つの光加入者線端局装置ＯＬＴ０及びＯＬＴ１の双方によって使用されるため、１つの光加入者線端局装置、たとえばＯＬＴ０のみがデータを送出することができ、その間残りの光加入者線端局装置、ここではＯＬＴ１は、ダウンリンクにおけるデータ衝突を回避するためにサイレント状態に保たれる。
【００３９】
アップリンク方向において、各光加入者線終端装置に対してタイムスロットが繰り返し割り当てられる。
【００４０】
タイムスロットは、衝突する可能性のある同時送信を回避するようにフレーム内に構成される。ユーザ端末からＯＬＴへのそのようなアップリンクアクセス方式は、時分割多重アクセス（ＴＤＭＡ）と呼ばれる。
【００４１】
第１の光加入者線端局装置４であるＯＬＴ０は、第１の動的送信資源割当てユニット６２を備え、第２の光加入者線端局装置６であるＯＬＴ１は、第２の動的送信資源割当てユニット６２を備える。各動的送信資源割当てユニット６２はＤＢＡユニット（動的帯域幅割当てユニット：Dynamic Bandwidth Allocation unit）とも称され、光加入者線終端装置８、１０、１２によって使用されるＴＤＭＡアップリンクアクセスのための送信資源を割り当てることができる。
【００４２】
第１の光加入者線端局装置４であるＯＬＴ０は、第１の多点制御ユニット６４も備える。第１の多点制御ユニット６４は、割り当てられた送信資源、及び第１のＯＬＴ０と光加入者線終端装置８、１０、１２との間の計算されたラウンドトリップ伝播遅延に従って、光加入者線終端装置８、１０、１２によってＴＤＭＡアップリンクにおいて使用されるスロットの送信時間を規定することができる。第２の光加入者線端局装置６であるＯＬＴ１は、第２の多点制御ユニット６４も備える。第２の多点制御ユニット６４は、割り当てられた送信資源、及び第２の光加入者線端局装置ＯＬＴ１と光加入者線終端装置８、１０、１２との間の計算されたラウンドトリップ伝播遅延に従って、光加入者線終端装置８、１０、１２によってＴＤＭＡアップリンクにおいて使用されるスロットの送信時間を規定することができる。
【００４３】
各ＯＬＴ４、６は、保護を管理して特にアクセス制御のテイクオーバを準備する光加入者線端局装置手段６６を備える。光加入者線端局装置手段６６は、第１にディスカバリ光加入者線端局装置として、全ての光加入者線終端装置の中から、Ｅ−ＯＬＴと称されるマスタエコーイング光加入者線終端装置を決定することができる。マスタエコーイング光加入者線終端装置は、マスタ光加入者線端局装置とも称される現在の現用系光加入者線端局装置、ここではＯＬＴ０によって最初に登録及び宣言される光加入者線終端装置である。また、第２にマスタ光加入者線端局装置すなわち現用系光加入者線端局装置として、第３にスレーブ光加入者線端局装置すなわち予備系光加入者線端局装置として、ＰＯＮ保護プロセスを管理することができる。
【００４４】
各光加入者線終端装置８、１０、１２は、マスタエコーイング光加入者線終端装置としてテイクオーバを準備する光加入者線終端装置手段６８を備える。マスタエコーイング光加入者線終端装置は、マスタ光加入者線端局装置に対する所与のローカル時刻において、スレーブ光加入者線端局装置と称される他方の光加入者線端局装置に向けて、対応するマスタ光加入者線端局装置に関する同期情報を含むエコー同期メッセージを送信することができる。
【００４５】
各光加入者線端局装置４、６の光加入者線端局装置手段６６は、アップリンクＴＤＭＡアクセスを調整するための光加入者線端局装置プロセスを有する。
【００４６】
各光加入者線終端装置８、１０、１２の光加入者線終端装置手段６８は、アップリンクＴＤＭＡアクセスを調整するための光加入者線終端装置プロセスを有する。
【００４７】
ここでは、ＯＬＴ０は初期状態においてマスタ現用系光加入者線端局装置として設定されるという条件を満たすと仮定する。それに対して、ＯＬＴ１は初期状態においてスレーブ予備系光加入者線端局装置として設定されるという条件を満たすと仮定する。
【００４８】
ＯＬＴ０から、通信中継器として動作する所定のマスタコーイング光加入者線終端装置、ここではＯＮＵ０を通じてＯＬＴ１へのデータ通信リンクが確立される。通信リンクは、一連のデータリンク７０（ＯＬＴ０からスプリッタ１４へのダウンリンク）、７２（スプリッタ１４からＯＮＵ０へのダウンリンク）、７４（ＯＮＵ０からスプリッタへのアップリンク）、７６（スプリッタ１４からＯＬＴ１）を含む。
【００４９】
一変形形態では、データ通信リンク７０、７２、７４、７６は、内部ＰＯＮリンクを使用しない通信リンク８０によって置き換えられる。たとえば、通信リンク８０はコアインフラストラクチャネットワークによって提供される通信リンクを使用する。
【００５０】
図２によれば、図１において説明されたタイプＢのパッシブ光ネットワーク２を保護する方法１００は、１組の後続のステップ１０２、１０４、１０６、及び１０８を含む。
【００５１】
第１のネットワークセットアップステップ１０２において、パッシブ光ネットワークを初期化構成でセットアップする。
【００５２】
準備及び監視ステップとも称される次のステップ１０４において、予備系光加入者線端局装置によるアクセス制御の起こり得るテイクオーバを準備し、現在の現用系光加入者線端局装置、又は、スプリッタ１４と現在の現用系光加入者線端局装置との間の光ファイバのいずれかにおいて起こり得る障害を検出するために、少なくとも１つの予備系光加入者線端局装置によってパッシブ光ネットワークを監視する。
【００５３】
次に検出ステップ１０６において、予備系光加入者線端局装置ＯＬＴ１は、現在の現用系光加入者線端局装置、又は、スプリッタ１４と現在の現用系光加入者線端局装置との間の光ファイバにおいて起こり得る障害を探索する。障害が検出された場合、新たな現用系光加入者線端局装置となる予備系光加入者線端局装置はスイッチオーバを決定する。
【００５４】
検出は、ホールドオフ、遅延、及びリンク可用性のようなステータス等のシステムパラメータに基づく。
【００５５】
たとえば、アップリンクにおいて、予備系光加入者線端局装置が現在の現用系光加入者線端局装置から定期的に送信されるシグナリングメッセージを受信せず、アップリンクデータトラフィックを一切認識しない場合、予備系光加入者線端局装置ＯＬＴ１によって障害が検出される。
【００５６】
別の例として、欧州特許出願第０９３０５２７８号明細書において記載されるように、或る上位イーサネット（登録商標）レベルにおいて障害が検出され、フィートバックによって上位イーサネット（登録商標）レベル機器から光加入者線端局装置に報告される。
【００５７】
ダウンリンクにおいて、例として、上記で挙げた同じ特許出願において記載されるように、イーサネット（登録商標）装置を有する光加入者線終端装置によって障害が検出される。
【００５８】
続いて、スイッチオーバのステップ１０８において、新たな現用系光加入者線端局装置となる予備系光加入者線端局装置がＰＯＮアクセス制御のテイクオーバを実行する。
【００５９】
図３によれば、ネットワークセットアップステップ１０２は、２つの後続のステップ１１２及び１１３を含む。
【００６０】
ステップ１０２の開始前には、全ての光加入者線端局装置が「未決定ステータス」と称される同一のステータスにあると仮定する。「未決定ステータス」では、各光加入者線端局装置は受動状態であってリスンすることのみができる。ＯＬＴ０及びＯＬＴ１は、マスタ現用系光加入者線端局装置ステータス及びスレーブ予備系光加入者線端局装置ステータスのうちのいずれのアクティブステータスを取得するかまだ分かっていない。
【００６１】
ステータス決定及び光加入者線端局装置の現在の設定のステップとも称されるステップ１１２において、各光加入者線端局装置は、マスタ現用系光加入者線端局装置、スレーブ予備系光加入者線端局装置、又は、未決定ステータスに設定された光加入者線端局装置のいずれかに、ステータス及び対応する設定が決定される。
【００６２】
ステップ１１２は、１組のステップ１１４、１１６、１１８、１２０、１２２、１２４、１２６、１２８、１３０を含む。
【００６３】
ＯＬＴ０及びＯＬＴ１のうちの各光加入者線端局装置について、ステップ１１４を実行する。ステップ１１４において、所与の光加入者線端局装置を、未決定ステータスに設定するか、又は未決定ステータスのままにする。
【００６４】
次のステップ１１５において、各光加入者線端局装置ＯＬＴ０、ＯＬＴ１は、リスン期間の間、全ての光加入者線終端装置８、１０、１２から送信される全てのアップリンクトラフィックデータ及びシグナリングデータをリスンする。
【００６５】
ＯＬＴ０がマスタ現用系光加入者線端局装置になるための条件を満たし、ＯＬＴ１が予備系光加入者線端局装置になるための条件を満たすと仮定する。
【００６６】
判定ステップ１１６において、リスン期間中に或る光加入者線端局装置がトラフィックデータ又はシグナリングデータを検出する場合、当該光加入者線端局装置はスレーブとなり、ステップ１１８においてスレーブ予備系光加入者線端局装置として設定される。
【００６７】
ここでは、ＯＬＴ０はそのようなトラフィック又はシグナリングを検出しないが、ＯＬＴ１はそのようなトラフィック又はシグナリングを検出する。
【００６８】
光加入者線端局装置がリスン期間中にトラフィックデータ又はシグナリングデータを一切検出しない場合、当該光加入者線端局装置は、ステップ１２０においてリスン期間の直後に第１のＣＥＮＳＵＳメッセージを送信する。
【００６９】
ＣＥＮＳＵＳメッセージは、ステップ１１３において全ての光加入者線終端装置がディスカバリされる通常動作の確立中に使用されるディスカバリメッセージに類似している。
【００７０】
しかしながら、ＣＥＮＳＵＳメッセージは、全ての光加入者線終端装置が、たとえ自身が既に１つの光加入者線端局装置に対して登録されている場合であっても、ＣＥＮＳＵＳメッセージに応答しなくてはならないという点でディスカバリメッセージとは異なる。
【００７１】
さらに、光加入者線終端装置は、ＣＥＮＳＵＳメッセージを受信すると、自身の応答において、当該ＣＥＮＳＵＳメッセージを送信した光加入者線端局装置のアドレスを示すことによって応答しなくてはならない。
【００７２】
判定ステップ１２２において、光加入者線端局装置が第１のタイムアウト期間内にメッセージを一切受信しない場合、その光加入者線端局装置は、現用系光加入者線端局装置になるか予備系光加入者線端局装置になるかを決めることができない。そのため、ステップ１１４を再度実行することによってリスンを継続すると共に受動状態に留まる。
【００７３】
ここでは、ＯＬＴ０及びＯＬＴ１がメッセージを受信したと仮定する。
【００７４】
ステップ１２６において、光加入者線端局装置が第１のタイムアウト内に別の光加入者線端局装置に宛てられたトラフィックメッセージ又は第１のシグナリングメッセージを受信した場合、その光加入者線端局装置はスレーブとなり、ステップ１１８においてスレーブ予備系光加入者線端局装置として設定される。
【００７５】
ここでは、ＯＬＴ０はそのようなメッセージを受信しないが、ＯＬＴ１はそのようなメッセージを受信する。
【００７６】
ステップ１２６において、光加入者線端局装置がそのようなメッセージを受信しない場合、これは、第１のタイムアウトの前に、当該光加入者線端局装置が最初は自身のＣＥＮＳＵＳメッセージに対する応答しか受信しないことを意味する。
【００７７】
この場合、次のステップ１２８において、光加入者線端局装置は第２のＣＥＮＳＵＳメッセージを送信する。
【００７８】
次に、ステップ１２２に類似した判定ステップ１３０において、光加入者線端局装置が第２のタイムアウト期間内にメッセージを一切受信しない場合、その光加入者線端局装置は、現用系光加入者線端局装置になるか予備系光加入者線端局装置になるかを決めることができない。そのため、ステップ１１４を再度実行することによってリスンを継続すると共に受動状態に留まる。
【００７９】
ここでは、ＯＬＴ０及びＯＬＴ１がメッセージを受信したと仮定する。
【００８０】
ステップ１３２において、光加入者線端局装置が第２のタイムアウト内に別の光加入者線端局装置に宛てられたトラフィックメッセージ又は第１のシグナリングメッセージを受信する場合、その光加入者線端局装置はスレーブとなり、ステップ１１８においてスレーブ予備系光加入者線端局装置として設定される。
【００８１】
ここでは、ＯＬＴ０はそのようなメッセージを受信しなかったが、ＯＬＴ１はそのようなメッセージを受信したものとする。
【００８２】
ステップ１３２において、光加入者線端局装置がそのようなメッセージを受信しなかった場合、これは、第１のタイムアウトの前に、当該光加入者線端局装置が最初は自身の第２のＣＥＮＳＵＳメッセージに対する応答しか受信しないことを意味する。
【００８３】
したがって、ＯＬＴ０は、第２のタイムアウトの前に自身の第２のＣＥＮＳＵＳメッセージに対する応答しか受信しなかった。
【００８４】
次のステップ１３４において、ＯＬＴ０はマスタ現用系光加入者線端局装置となる。
【００８５】
ステップ１１２の終了時には、全ての光加入者線端局装置がステータスを取得している。
【００８６】
ここでは、ＯＬＴ０はステップ１３４の実行によって現用系光加入者線端局装置であるのに対して、ＯＬＴ１はステップ１１８の実行によって予備系光加入者線端局装置である。
【００８７】
決定ステップ１１２において、マスタ光加入者線端局装置、及び、予備系光加入者線端局装置というステータス及び設定を用いることで、既存の現用系光加入者線端局装置を阻害することなく、或る光加入者線端局装置がパッシブ光ネットワークの現在の現用系光加入者線端局装置のマスタとなることが保証される。
【００８８】
このように、スプリッタと既存の予備系光加入者線端局装置との間の回線が第１のリスン期間前又は第１のリスン期間中に切断され、ＯＬＴ１による第１のＣＥＮＳＵＳ送信の直前に修復された場合に起こり得る、マスタ光加入者線端局装置の誤決定の問題が回避される。
【００８９】
ＣＥＮＳＵＳメッセージへの応答として光加入者線終端装置によって送信された応答メッセージの、光加入者線端局装置によるアップリンクにおける受信が衝突するのを回避するために、光加入者線端局装置の対応する送出時刻が従来のアルゴリズムに従ってランダム化されることに留意すべきである。
【００９０】
ステップ１１２に続くステップ１１３において、ＯＬＴ０がマスタ現用系光加入者線端局装置として決定及び設定されているため、ネットワークの通常動作が確立される。このステップ１１３の間に、現在の現用系光加入者線端局装置ＯＬＴ０によって、光加入者線終端装置８、１０、１２がディスカバリメッセージを通じてディスカバリされ、登録されてレンジングされる。
【００９１】
ステップ１１３の間に、図１に示されていないコアネットワークインフラストラクチャインタフェースにおいて、光加入者線端局装置４及び６の双方、すなわち第１の光加入者線端局装置４（ＯＬＴ０）及び第２の光加入者線端局装置６（ＯＬＴ１）に同一のダウンリンクデータストリームが供給され、現用系光加入者線端局装置のみがデータを光加入者線終端装置８、１０、１２に中継する。
【００９２】
それらの光加入者線終端装置から生成されるアップリンクストリームの双方がスプリッタレベルにおいてマージされるが、現用系光加入者線端局装置のみがデータをコアネットワークに中継する。
【００９３】
図４によれば、パッシブ光ネットワークのアクセス制御のテイクオーバを準備するための準備ステップ１０４は、１組のステップ１５０、１５２、１５４、１５６、１５８、１６０、１６２、１６４、１６６、１６８、１７０、１７２、１７６を含む。
【００９４】
ステップ１５０、１７２、１７４、１７６において、現在のマスタ現用系光加入者線端局装置（ＯＬＴ０）は、ここではＥＣＨＯメッセージと呼ばれるシグナリングメッセージを定期的に送信する。ＥＣＨＯメッセージと呼ばれるのは、このメッセージが所定のエコーイングマスタ光加入者線終端装置８、ここではＯＮＵ０によって中継されるためである。
【００９５】
これらのＥＣＨＯメッセージは、一連の所定の送信タイムインターバルに従って、エコーイングマスタ光加入者線終端装置であるＯＮＵ０を通じて送信される。２つの連続する送信タイムインターバルは、パッシブ光ネットワークの障害を検出するための応答時間を提供する最大持続時間だけ離れている。
【００９６】
エコーイングマスタ光加入者線終端装置であるＯＮＵ０は、ウェイク状態の全ての光加入者線端局装置４、６に対してＥＣＨＯメッセージをアップリンクで返送する。
【００９７】
ＥＣＨＯメッセージは、種々の事象に依拠して以下のような幾つかの情報を含むことができる：
−  ギャップ遅延及びギャップ持続時間によってレンジングギャップを画定するシグナリングレンジング有効化メッセージ。尚、ギャップ遅延は、シグナリングレンジング有効化メッセージの受信時に、予備系光加入者線端局装置ＯＬＴ１によって選択された１つの光加入者線終端装置、ここではＯＮＵ１をレンジングするのを待つ時間、或いは次のＥＣＨＯ受信のための遅延である。
−  現用系光加入者線端局装置ＯＬＴ０によって、各光加入者線終端装置８、１０、１２について、当該現用系光加入者線端局装置ＯＬＴ０に対して測定されるレンジング情報。
−  次のウェイクアップのために取られるアクション：単純なＥＣＨＯ受信、又はレンジングした後にＥＣＨＯ受信。ここで、後者はレンジングギャップの後にＥＣＨＯ受信タイムインターバルが続くことを必要とする。
【００９８】
事象とは、たとえば、パッシブ光ネットワークの初期化ステップ、テイクオーバ、ＯＮＵの除去、ネットワークに追加される新たなＯＮＵ、レンジング情報に関する変化の他の原因である。
【００９９】
ＥＣＨＯメッセージは、それぞれ「短いＥＣＨＯ」及び「長いＥＣＨＯ」と呼ばれる２つのＥＣＨＯタイプに従って分類される。
【０１００】
短いＥＣＨＯは、たとえば、次のＥＣＨＯ受信タイムインターバルの日付（date）、或いは次のレンジングギャップを設定するレンジング有効化メッセージを含む、単一フレーム内で送信される。
【０１０１】
長いＥＣＨＯは、１つの単一フレーム内に送信されるか、又は幾つかの連続フレームに断片化される。そして、第１に全ての光加入者線終端装置８、１０、１２に関する情報、特に現在のマスタ現用系光加入者線端局装置ＯＬＴ０に対するレンジング情報を含み、第２に次のＥＣＨＯ受信タイムインターバルの日付又は次のレンジングギャップを設定するレンジング有効化メッセージのデータを含む。
【０１０２】
ここで、第１のステップ１５０において、トラフィックデータを送受信することから成る通常動作下にあるマスタ現用系光加入者線端局装置ＯＬＴ０は、長いＥＣＨＯメッセージを、エコーイングマスタ光加入者線終端装置ＯＮＵ０を通じて予備系光加入者線端局装置、ここではＯＬＴ１に送信する。
【０１０３】
ステップ１５０は、２つのステップ１６８及び１７０に分割される。
【０１０４】
ステップ１６８において、現在の現用系光加入者線端局装置ＯＬＴ０は、予備系光加入者線端局装置ＯＬＴ１に向けて、ギャップ遅延及びギャップ持続時間によってレンジングギャップを画定するレンジング有効化メッセージを送信する。ギャップ遅延は、シグナリングレンジング有効化メッセージの受信時に、予備系光加入者線端局装置ＯＬＴ１が、１つの選択された光加入者線終端装置、たとえばＯＮＵ１をレンジングするのを待つ時間である。
【０１０５】
ステップ１７０において、現在の現用系光加入者線端局装置ＯＬＴ０は、予備系光加入者線端局装置ＯＬＴ１に向けて、現在の現用系光加入者線端局装置ＯＬＴ０に対する全ての光加入者線終端装置８、１０、１２のレンジング情報を含むシグナリングメッセージを送信する。
【０１０６】
ステップ１５０の後にステップ１５２が続き、予備系光加入者線端局装置ＯＬＴ１が、ステップ１５０において送信された長いＥＣＨＯメッセージをリスンする。
【０１０７】
後続のステップ１５４において、予備系光加入者線端局装置ＯＬＴ１は、レンジング有効化メッセージを復号し、自身のハードウェアを電力供給節約の最高レベルに対応するスリープモードに設定し、光加入者線端局装置ＯＬＴ１の次のウェイクアップまでのギャップ遅延をカウントするためのタイムカウンタを始動する。
【０１０８】
ステップ１５４のスリープモードの間、トラフィックデータを送受信して通常動作しているマスタ光加入者線端局装置ＯＬＴ０は、予備系光加入者線端局装置ＯＬＴ１に向けて、短いＥＣＨＯメッセージをエコーイングマスタ光加入者線終端装置ＯＮＵ０を通じて送信する。
【０１０９】
ＥＣＨＯメッセージは、当該ＥＣＨＯメッセージがレンジングギャップ後に予備系光加入者線端局装置ＯＬＴ１によって受信されるように定義される時刻に、エコーイングマスタ加入者線終端装置ＯＮＵ０によって送信される。
【０１１０】
ＯＬＴ１がスリープモードにあるステップ１５４において、マスタ現用系光加入者線端局装置ＯＬＴ０は、通常動作下においてトラフィックデータを光加入者線終端装置８、１０、１２と交換することができる。
【０１１１】
ギャップ遅延が満了した後のステップ１５６において、予備系光加入者線端局装置ＯＬＴ１は、レンジングギャップの間に、選択された光加入者線終端装置、ここではＯＮＵ１をレンジングする。その間、現在の現用系光加入者線端局装置ＯＬＴ０及び残りの光加入者線終端装置であるＯＮＵ０、ＯＮＵ２は、実質的にレンジングギャップと同時並行しているスリープウィンドウの間サイレント状態に保たれる。それによって、アップリンクにおけるＯＮＵ１レンジングシグナリングメッセージとの衝突が回避され、ダウンリンクにおける予備系光加入者線端局装置ＯＬＴ１との衝突が回避される。
【０１１２】
光加入者線終端装置がデータを送出可能となるためには、当該光加入者線終端装置が送出認証メッセージを受信する必要があるという条件を設ける。そして、スリープウィンドウを達成するために、マスタ現用系光加入者線端局装置ＯＬＴ０は、光加入者線終端装置ＯＮＵ０、ＯＮＵ１、ＯＮＵ２がスリープウィンドウ中であって、ＯＬＴ１によってＳＣＡＮメッセージを通じて直接要求されるデータを除いてデータを一切送出することを許可されないように構成される時刻に、認証メッセージを光加入者線終端装置ＯＮＵ０、ＯＮＵ１、ＯＮＵ２に送信する。
【０１１３】
後続のステップ１５８において、予備系光加入者線端局装置ＯＬＴ１は、現在の現用系光加入者線端局装置ＯＬＴ０に対する全ての光加入者線終端装置８、１０、１２のレンジング情報、及び予備系光加入者線端局装置ＯＬＴ１に対する選択された光加入者線終端装置ＯＮＵ１のレンジング情報から、予備系光加入者線端局装置ＯＬＴ１に対する全ての光加入者線終端装置８、１０、１２のレンジング情報を求める。
【０１１４】
ここで、予備系光加入者線端局装置ＯＬＴ１に対する任意の所与の光加入者線終端装置のレンジは、ＯＬＴ０に対する選択された光加入者線終端装置ＯＮＵ１のレンジとＯＬＴ０に対するＯＮＵ１のレンジとの差分によって補正された、マスタ光加入者線端局装置ＯＬＴ０に対する同じ所与の光加入者線終端装置のレンジに等しい。
【０１１５】
ステップ１５８と同時並行するか又はステップ１５８に続くステップ１６０において、予備系光加入者線端局装置ＯＬＴ１は、ステップ１５４において送信された短いＥＣＨＯメッセージをリスンする。
【０１１６】
ステップ１６０の後のステップ１６２において、予備系光加入者線端局装置ＯＬＴ１はスリープモードに設定され、その間現在の現用系光加入者線端局装置ＯＬＴ０は通常動作下にある。
【０１１７】
ステップ１６２の間に、現在の現用系光加入者線端局装置ＯＬＴ０は、ステップ１７６において短いＥＣＨＯメッセージを送信する。
【０１１８】
後続のステップ１６４において、予備系光加入者線端局装置ＯＬＴ１は、以前の短いＥＣＨＯメッセージ内に含まれる日付においてウェイクアップされ、ステップ１７６において送信されたＥＣＨＯメッセージをリスンし、次のＥＣＨＯ受信タイムインターバルの日付を抽出する。
【０１１９】
後続のステップ１６６において、予備系光加入者線端局装置ＯＬＴ１は、ＯＬＴ１がウェイクアップする次のＥＣＨＯ受信タイムインターバルの日付又はレンジングギャップまでカウントするタイムカウンタを始動する。
【０１２０】
図５によれば、時空間チャート２００は、典型的な保護プロセスのパッシブ光ネットワーク２の通常動作下における、レベル２０２の予備系光加入者線端局装置ＯＬＴ１と、レベル２０４の現在の現用系光加入者線端局装置ＯＬＴ０と、レベル２０６のエコーイングマスタ光加入者線終端装置ＯＮＵ０と、それぞれレベル２０８、２１０の残りの光加入者線終端装置ＯＮＵ１、ＯＮＵ２との間のシグナリング交換を表している。
【０１２１】
ここで一例として示される保護プロセス２００は、図３において説明したようなテイクオーバの準備ステップ１０４と、ステップ１０６によるネットワーク障害の検出と、予備系光加入者線端局装置ＯＬＴ１によるスイッチオーバ１０８とを含む。
【０１２２】
ネットワークは、現在のマスタ現用系光加入者線端局装置４をＯＬＴ０として、予備系光加入者線端局装置６をＯＬＴ１として既に設定されている。
【０１２３】
レベル２０２において、予備系光加入者線端局装置ＯＬＴ１はスリープインターバル２２０においてスリープしている。
【０１２４】
同時に、現在のマスタ現用系光加入者線端局装置ＯＬＴ０は、マスタ動作インターバル２２２の間に、エコーイングマスタ光加入者線終端装置ＯＮＵ０を通信中継器として使用して、シグナリングメッセージ２２４、２２６を通じて長いＥＣＨＯメッセージを送信する。
【０１２５】
レベル２０２の予備系光加入者線端局装置ＯＬＴ１は、ＥＣＨＯ受信タイムインターバル２２７において長いＥＣＨＯメッセージを受信すると、レンジングギャップ遅延の時間カウントを始動し、スリープインターバル２２８の間スリープモードに設定される。
【０１２６】
スリープインターバル２２８の間、現在のマスタ現用系光加入者線端局装置ＯＬＴ０は、幾つかの光加入者線終端装置との間、ここではＯＬＴ０と光加入者線終端装置ＯＮＵ０及びＯＮＵ１との間で、トラフィックデータメッセージ及びシグナリングデータメッセージ２３０を交換する。
【０１２７】
レンジングギャップ遅延が満了した後のレンジングギャップ２３２の間に、ＯＬＴ１から、選択された光加入者線終端装置ＯＮＵ１に向けて、ＳＣＡＮメッセージ２３４を送信し、選択されたＯＮＵ１からＯＬＴ１に向けて、ＳＣＡＮメッセージへの応答を送信することによって、光加入者線終端装置ＯＮＵ１をレンジングする従来のステップが実行される。このレンジングステップの間に、マスタ光加入者線端局装置ＯＬＴ０及び残りの光加入者線終端装置ＯＮＵ０、ＯＮＵ２は、レンジングギャップ２３２の間にアップリンク及びダウンリンクにおいて衝突が発生しないように構成されるスリープウィンドウ２４０においてサイレント状態に保たれる。
【０１２８】
スリープウィンドウ２４０を実施するために、マスタ現用系光加入者線端局装置ＯＬＴ０は、ＯＮＵ０及びＯＮＵ２がスリープウィンドウ２４０の間サイレント状態に保たれるように構成される時刻において、認証メッセージをＯＮＵ０及びＯＮＵ２に送信・送出することを避ける。
【０１２９】
スリープウィンドウ２４０より前とすることができる適切な時刻に、マスタ現用系光加入者線端局装置ＯＬＴ０は、エコーイングマスタ光加入者線終端装置ＯＮＵ０を通じてＥＣＨＯメッセージ２４４を予備系光加入者線端局装置に送信する。ＥＣＨＯメッセージ２４４は、ＥＣＨＯメッセージが予備系光加入者線端局装置ＯＬＴ１によって、レンジングギャップ２３２の後のＥＣＨＯ受信タイムインターバル２４６において受信されるように定義される時刻に、エコーイングマスタ光加入者線終端装置ＯＮＵ０によって送信される。ＥＣＨＯメッセージ２４４は、ここでは次のＥＣＨＯ受信タイムインターバル２４８の日付を含むが、次のレンジングギャップの日付も含むことができる。
【０１３０】
ＥＣＨＯ受信タイムインターバル２４６の後に、スリープタイムインターバル２５０が続く。スリープタイムインターバル２５０の間、マスタ現用系光加入者線端局装置ＯＬＴ０は、タイムインターバル２５２において通常動作下にある。
【０１３１】
タイムインターバル２５２の間に、マスタ現用系光加入者線端局装置ＯＬＴ０は短いＥＣＨＯメッセージ２５４を送信し、当該ＥＣＨＯメッセージ２５４は、それがＥＣＨＯ受信タイムインターバル２４８において受信されるように構成される時刻に、ホップ２５６によって中継される。光加入者線端局装置ＯＬＴ１は、この時ウェイク状態である。
【０１３２】
ホップ２５６によって中継されて受信タイムインターバル２４８において受信されるＥＣＨＯメッセージ２５４は、次のＯＬＴ１のウェイクアップの日付、すなわち次のＥＣＨＯ受信インターバル２５８の日付を含む。次のウェイクアップの日付を受信した後、予備系光加入者線端局装置は、スリープインターバル２５７においてスリープモードに設定される。
【０１３３】
スリープインターバル２５７の間に、レベル２０４のマスタ光加入者線端局装置ＯＬＴ０における恒久的な障害が発生し、未知の持続期間インターバル２６０の間継続する。
【０１３４】
この障害は新たなＥＣＨＯメッセージを阻害するが、予備系光加入者線端局装置ＯＬＴ１によって受信されるデータトラフィックも阻害する。予備系光加入者線端局装置ＯＬＴ１は、ウェイクアップされると障害を検出し、既にスイッチオーバする準備ができているため、非常に短い遅延時間内で新たなマスタ光加入者線端局装置となり、タイムインターバル２６２におけるネットワークのアクセス制御をテイクオーバする。
【０１３５】
一変形形態では、パッシブ光ネットワーク２の光ファイバを使用するリンクとは異なる通信リンクを通じてＥＣＨＯメッセージが送信される。
【０１３６】
全ての光加入者線終端装置のレンジングが時間を消費するタスクである場合、特に光加入者線終端装置の数が多くたとえば２０４８に等しい場合、本発明による方法は、予備系ＯＬＴによるＰＯＮアクセス制御の迅速なテイクオーバを可能にする。
【０１３７】
本発明による保護方法を用いて、予備系光加入者線端局装置は現在の現用系光加入者線端局装置の障害を迅速に検出することができる。
【０１３８】
逆に、現用系光加入者線端局装置は、対応するレンジングステップが実行されない場合に予備系光加入者線端局装置の障害を検出することができる。
【０１３９】
提案される保護方式によって、予備系光加入者線端局装置がネットワークのトラフィックスループットに重大な影響を与えることが回避される。
【０１４０】
さらに、予備系光加入者線端局装置のエネルギーが節約される。
【図１】
2010263620.tif 000003
【図２】
2010263620.tif 000004
【図３】
2010263620.tif 000005
【図４】
2010263620.tif 000006
【図５】
2010263620.tif 000007
【外国語明細書】
2010263620.tif 000008
2010263620.tif 000009
2010263620.tif 000010
2010263620.tif 000011
2010263620.tif 000012
2010263620.tif 000013
2010263620.tif 000014
2010263620.tif 000015
2010263620.tif 000016
2010263620.tif 000017
2010263620.tif 000018
2010263620.tif 000019
2010263620.tif 000020
2010263620.tif 000021
2010263620.tif 000022
2010263620.tif 000023
2010263620.tif 000024
2010263620.tif 000025
2010263620.tif 000026
2010263620.tif 000027
2010263620.tif 000028
2010263620.tif 000029
2010263620.tif 000030
2010263620.tif 000031
2010263620.tif 000032
2010263620.tif 000033
2010263620.tif 000034
2010263620.tif 000035
2010263620.tif 000036
2010263620.tif 000037
2010263620.tif 000038
2010263620.tif 000039
2010263620.tif 000040
2010263620.tif 000041
2010263620.tif 000042
2010263620.tif 000043
2010263620.tif 000044
2010263620.tif 000045